(57)【要約】【課題】RFIDリーダーとプリンターヘッドを結合し、構造をシンプルにしたことでコストを低下させ、また最適な位置にアンテナモジュールを設置することで、読み取りをより正確にすることができるプリンターヘッドとアンテナの統合構造の提供。【解決手段】  プリンターヘッドとアンテナの統合構造は、細長い形状の印刷ライン１１１を設置する金属散熱板１１、金属散熱板１１上に設置し、一端は細長い形状の印刷ライン１１１と電気的連接を構成し、反対端には金属配線を外付けするフレキシブル(或いは、通常)回路板１２、フレキシブル(或いは、通常)回路板１２上に直接設置して電気的に連接するアンテナモジュール１３を備え、こうして、アンテナモジュール１３はプリンターヘッド１上に効果的に統合され、構造をシンプルにし体積を縮小し、コスト削減の目的を達成することができる。【選択図】        図１
0003156221.tif 000002
【実用新案登録請求の範囲】
【請求項１】
金属散熱板、回路板、アンテナモジュールを備え、
前記金属散熱板には、細長い形状の印刷ラインを設置し、
前記回路板は、前記金属散熱板上に設置し、前記回路板は、フレキシブル、或いは通常の回路板で、一端は、前記細長い形状の印刷ラインと電気的連接を構成し、反対端には、金属配線を外付けし、
前記アンテナモジュールは、前記フレキシブル回路板上に、直接設置して、電気的に連接し、
こうして、前記アンテナモジュールは、プリンターヘッド上に統合され、構造をシンプルにし組立てを容易にすることでコストを低下させ、また前記アンテナモジュールは最良の位置に設置され、読み取りがより正確となることを特徴とするプリンターヘッドとアンテナの統合構造。
【請求項２】
前記回路板の板面上には、複数の駆動ICを設置し、しかも前記回路板の一端には、前記各駆動ICに対応して、配線接点を設置することを特徴とする請求項１に記載のプリンターヘッドとアンテナの統合構造。
【請求項３】
前記回路板の、前記アンテナモジュールを設置する部位の前後は、前記金属散熱板を避けなければならないことを特徴とする請求項２に記載のプリンターヘッドとアンテナの統合構造。
【請求項４】
前記アンテナモジュールは、RFIDタグを読み取るアンテナであることを特徴とする請求項３に記載のプリンターヘッドとアンテナの統合構造。
【請求項５】
前記アンテナモジュールは、チップであることを特徴とする請求項４に記載のプリンターヘッドとアンテナの統合構造。
【請求項６】
前記アンテナモジュールは、回路板であることを特徴とする請求項４に記載のプリンターヘッドとアンテナの統合構造。
【考案の詳細な説明】
【技術分野】
【０００１】
本考案はプリンターヘッドとアンテナの統合構造に関し、特にRFIDリーダーとプリンターヘッドを結合し、構造をシンプルにしたことでコストを低下させ、また最適な位置にアンテナモジュールを設置することで、読み取りをより正確にすることができるプリンターヘッドとアンテナの統合構造に関する。
【背景技術】
【０００２】
RFID (Radio Frequency Identification)システムは、識別システムと目標との間に、機械的、或いは光学的な接触が不要で、無線信号を通して特定の目標を識別し、データにアクセスすることができる通信技術である。  実際の応用において、RFIDタグ内部の識別チップは、RFIDリーダーが発信した電磁波を受信すると作動し、タグが十分な信号を受信すると、リーダーへとデータを発信することができる。これらデータは、IDナンバーの他に、予めタグ内に保存しておいたEEPROM中のデータをも含むことができる。
【０００３】
テクノロジーの進歩と市場のニーズに従い、RFIDシステム関連の応用は、ますます広がっており、データベース管理システム、インターネット、ファイアウォールなどの技術と結合し、完全に自動で、安全かつ便利な即時モニターシステム機能を提供することができるようになっている。紙幣及び製品の偽造防止技術、身分証明書、通行証、電子支払いシステム、物流管理、航空荷物監視システム、製造のオートメーション管理、倉庫管理、運輸管理、警備システム、医療管理など、その応用分野は非常に広い。
【０００４】
しかし、現在のバーコードプリンター上に、RFIDシステムを増設しようとするなら、プリンターのヘッド付近にアンテナモジュールを設置する必要がある。  これにより、印刷作業の執行時に、RFIDタグを一緒に読み書きすることができるが、既存のアンテナモジュールには、設計上、良好な規格がなされていないため、大部分のアンテナモジュールは独立した回路板として設計されており、設置時には、プリンターヘッド付近に固定して設置している。そのため、その製造においては、別に回路板を製造しパーツを溶接する必要があり、しかも各種プリンター内部の余剰空間の差異に応じて、新たに配置を調整し、製造して組み立てる必要があり、非常に時間がかかり、コストを高騰させている。
【考案の概要】
【考案が解決しようとする課題】
【０００５】
本考案の目的は、RFIDリーダーとプリンターヘッドを結合し、構造をシンプルにしたことでコストを低下させ、また最適な位置にアンテナモジュールを設置することで、読み取りをより正確にすることができるプリンターヘッドとアンテナの統合構造を提供することである。
【課題を解決するための手段】
【０００６】
上述の目的を達成するため、本考案は下記のプリンターヘッドとアンテナの統合構造を提供する。
プリンターヘッドとアンテナの統合構造は、細長い形状の印刷ラインを設置する金属散熱板、
該金属散熱板上に設置し、一端は該細長い形状の印刷ラインと電気的連接を構成し、反対端には金属配線を外付けするフレキシブル(或いは、通常)回路板、
該フレキシブル(或いは、通常)回路板上に直接設置して電気的に連接するアンテナモジュールを備え、
こうして、該アンテナモジュールはプリンターヘッド上に効果的に統合され、構造をシンプルにし体積を縮小し、コスト削減の目的を達成することができる。
【考案の効果】
【０００７】
本考案プリンターヘッドとアンテナの統合構造は、RFIDリーダーとプリンターヘッドを結合し、構造をシンプルにしたことでコストを低下させ、また最適な位置にアンテナモジュールを設置することで、読み取りをより正確にすることができる。
【図面の簡単な説明】
【０００８】
【図１】本考案の立体図である。
【図２】本考案の立体分解図である。
【考案を実施するための形態】
【０００９】
図１、２に示すように、本考案プリンターヘッドとアンテナの統合構造のプリンターヘッド１は、金属散熱板１１、フレキシブル(或いは通常)回路板１２、アンテナモジュール１３を備える。
金属散熱板１１上には、細長い形状の印刷ライン１１１を設置し、印刷ライン１１１により、所定のデータを出力する。
【００１０】
フレキシブル(或いは通常)回路板１２は、金属散熱板１１上に設置する。フレキシブル(或いは通常)回路板１２の板面上には、複数の駆動IC１２１を設置し、印刷ライン１１１と電気的連接を構成し、加熱印刷動作を執行する。フレキシブル(或いは通常)回路板１２の反対端は、各駆動IC１２１に対応して、配線接点１２２を設置し、これにより外部の制御回路(図示なし)と連接する。
【００１１】
アンテナモジュール１３は、RFIDシステムタグを読み取るアンテナで、無線電波(RF)を発射して、データの発送と受信作業を行い、タグとリーダー(図示なし)との間でRF信号の伝送を行う。実施時には、アンテナモジュール１３は、チップ、或いは回路板で、しかも、フレキシブル(或いは通常)回路板１２上に設置し、直接電気的に連接し、データ信号の出力を行う。図２に示すように、フレキシブル(或いは通常)回路板１２におけるアンテナモジュール１３の設置には、特別な注意が必要である。金属阻害を回避し、アンテナモジュール１３の正常な作動を確保するため、アンテナモジュール１３の前後には、金属散熱板１１がないことが必要である。
【００１２】
本考案の一実施例では、既にアンテナモジュール１３をフレキシブル(或いは通常)回路板１２上に設置し電気的に連接して、プリンターヘッド１の一部分としているため、構造がシンプルである。よって、製造時に、別に回路板を製造して溶接する必要がない。しかも、適用するプリンターがどのようなタイプで、内部の余剰空間がどのようであろうとも、簡単に配置し使用することができ、新たな調整は不要である。すなわち、製造、組立て共に容易で、コスト削減を効果的に達成できる。
【００１３】
さらに、従来のRFIDアンテナモジュールが占めていたスペースを空けることができるため、単一装置を二重の機能に運用することができる。しかも、運用においては、アンテナモジュール１３は既に、プリンターヘッド１の一部分として統合されているため、印刷作業の執行時にも、アンテナモジュール１３は、タグに対する感度が最も良好な位置に対応することができ、これにより、RFIDタグの読み取りをさらに正確にすることができる。
【符号の説明】
【００１４】
１  プリンターヘッド
１１  金属散熱板
１１１  印刷ライン
１２  回路板
１２１  駆動IC
１２２  配線接点
１３  アンテナモジュール
【図１】
0003156221.tif 000003
【図２】
0003156221.tif 000004